(57)【要約】      （修正有）【課題】玄関子機との間で音声信号を送受信して通話を行うにあたり居室親機に形成される通話路の切り換えを、住戸内外の周囲環境下の騒音レベルの差に依存せず偏りなく実行する。【解決手段】玄関子機マイクに入力され居室親機のスピーカから受話音声として出力させる受話側デジタル音声信号のノイズレベル、親機マイクに入力され子機スピーカから受話音声として出力させる送話側デジタル音声信号のノイズレベルを推定し、推定されたノイズレベルに送話、受話の各デジタル音声信号が無音信号又は有音信号であるかを判別する音声判別閾値を算出し、算出された音声判別閾値との比較に基づき送話、受話の各デジタル音声信号が無音信号又は有音信号であるかを判別する。また、送話側で有音信号と判別された音声信号の信号電圧及び送話側の音声判別閾値の差分と、受話側で有音信号と判別された音声信号の信号電圧及び受話側の音声判別閾値の差分とを比較する。【選択図】図２
2011055058.tif 000002
【特許請求の範囲】
【請求項１】
子機マイク（１０３）及び子機スピーカ（１０４）を有する玄関子機（１）と、有線の伝送路（Ｌ1a）又は無線の伝送路（Ｌ1b）を経由して前記玄関子機に接続され、当該玄関子機の前記子機マイク及び前記子機スピーカとの間で通話を成立させるための音声信号を入出力する親機マイク（２０２）及び親機スピーカ（２０３）を有する居室親機（２）とを設け、
前記居室親機には、前記親機マイクに入力された送話アナログ音声信号を送話デジタル音声信号にアナログ／デジタル変換するとともに、前記玄関子機の前記子機マイクに入力され前記伝送路を経由して伝送されてくる受話デジタル音声信号を受話アナログ音声信号にデジタル／アナログ変換して前記親機スピーカから出力させるための親機音声コーデック（２０４）と、前記親機音声コーデックから前記伝送路への送話ライン（Ｌ2a）を伝送される前記送話デジタル音声信号及び前記伝送路から前記親機音声コーデックへの受話ライン（Ｌ2b）を伝送される前記受話デジタル音声信号をそれぞれ送受信切換制御するための音声処理部（２０５）とを備え、
前記音声処理部には、前記送話デジタル音声信号の信号電圧を減衰させるための送話側アッテネータ（２５０ａ）と、前記送話デジタル音声信号のノイズレベルを推定するための送話側ノイズレベル推定回路（２５１ａ）と、前記送話側ノイズレベル推定回路にて推定された前記ノイズレベルに前記送話デジタル音声信号が無音信号又は有音信号であるかを判別するために設定されるオフセット値を加算して得られる送話音声判別閾値を算出する送話側閾値制御回路（２５２ａ）と、前記送話側閾値制御回路にて算出された前記送話音声判別閾値との比較に基づき前記送話デジタル音声信号が無音信号又は有音信号であるかを判別する送話側信号判別回路（２５３ａ）と、前記受話デジタル音声信号の信号電圧を減衰させるための受話側アッテネータ（２５０ｂ）と、前記受話デジタル音声信号のノイズレベルを推定するための受話側ノイズレベル推定回路（２５１ｂ）と、前記受話側ノイズレベル推定回路にて推定されたノイズレベルに前記受話デジタル音声信号が無音信号又は有音信号であるかを判別するために設定されるオフセット値を加算して得られる受話音声判別閾値を算出する受話側閾値制御回路（２５２ｂ）と、前記受話側閾値制御回路にて算出された前記受話音声判別閾値との比較に基づき前記受話デジタル音声信号が無音信号又は有音信号であるかを判別する受話側信号判別回路（２５３ｂ）と、前記送話側信号判別回路及び前記受話側信号判別回路にて有音信号と判別された信号電圧を比較するための比較器（２５５ａ）を有し、前記送話側アッテネータ及び前記受話側アッテネータにそれぞれ損失を挿入して減衰レベルを制御するためのアッテネータ制御回路（２５５）とを備え、
前記アッテネータ制御回路の前記比較器は、前記送話側で有音信号と判別された前記送話デジタル音声信号の信号電圧及び前記送話音声判別閾値の差分と、前記受話側で有音信号と判別された前記受話デジタル音声信号の信号電圧及び前記受話音声判別閾値の差分とを比較する機能を有することを特徴とするインターホンシステム。
【請求項２】
子機マイク（１０３）及び子機スピーカ（１０４）を有する玄関子機（１）と、有線の伝送路（Ｌ1a）又は無線の伝送路（Ｌ1b）を経由して前記玄関子機に接続され、当該玄関子機の前記子機マイク及び前記子機スピーカとの間で通話を成立させるための音声信号を入出力する親機マイク（２０２）及び親機スピーカ（２０３）を有する居室親機（２）とを設け、
前記居室親機には、前記親機マイクに入力された送話アナログ音声信号を送話デジタル音声信号にアナログ／デジタル変換するとともに、前記玄関子機の前記子機マイクに入力され前記伝送路を経由して伝送されてくる受話デジタル音声信号を受話アナログ音声信号にデジタル／アナログ変換して前記親機スピーカから出力させるための親機音声コーデック（２０４）と、前記親機音声コーデックから前記伝送路への送話ライン（Ｌ2a）を伝送される前記送話デジタル音声信号及び前記伝送路から前記親機音声コーデックへの受話ライン（Ｌ2b）を伝送される前記受話デジタル音声信号をそれぞれ送受信切換制御するための音声処理部（２０５）とを備え、
前記音声処理部には、前記送話デジタル音声信号の信号電圧を減衰させるための送話側アッテネータ（２５０ａ）と、前記送話デジタル音声信号のノイズレベルを推定するための送話側ノイズレベル推定回路（２５１ａ）と、前記送話側ノイズレベル推定回路にて推定された前記ノイズレベルに前記送話デジタル音声信号が無音信号又は有音信号であるかを判別するために設定されるオフセット値を加算して得られる送話音声判別閾値を算出する送話側閾値制御回路（２５２ａ）と、前記送話側閾値制御回路にて算出された前記送話音声判別閾値との比較に基づき前記送話デジタル音声信号が無音信号又は有音信号であるかを判別する送話側信号判別回路（２５３ａ）と、前記受話デジタル音声信号の信号電圧を減衰させるための受話側アッテネータ（２５０ｂ）と、前記受話デジタル音声信号のノイズレベルを推定するための受話側ノイズレベル推定回路（２５１ｂ）と、前記受話側ノイズレベル推定回路にて推定されたノイズレベルに前記受話デジタル音声信号が無音信号又は有音信号であるかを判別するために設定されるオフセット値を加算して得られる受話音声判別閾値を算出する受話側閾値制御回路（２５２ｂ）と、前記受話側閾値制御回路にて算出された前記受話音声判別閾値との比較に基づき前記受話デジタル音声信号が無音信号又は有音信号であるかを判別する受話側信号判別回路（２５３ｂ）と、前記送話側信号判別回路及び前記受話側信号判別回路にて有音信号と判別された信号レベルを比較するための比較器（２５５ａ）を有し、前記送話側アッテネータ及び前記受話側アッテネータにそれぞれ損失を挿入して減衰レベルを制御するためのアッテネータ制御回路（２５５）とを備え、
前記アッテネータ制御回路は、前記送話側ノイズレベル推定回路及び前記受話側ノイズレベル推定回路にてそれぞれ推定された両ノイズレベルの大小に対応した比の逆数を、前記比較器に入力される送話側、受話側の両信号レベルに乗じてレベル調整することを特徴とするインターホンシステム。
【請求項３】
前記送話側アッテネータの出力側には、前記送話側ノイズレベル推定回路にて推定された前記ノイズレベルの大小に対応させて、前記送話デジタル音声信号の信号レベルを増幅又は減衰するための送話側信号レベル制御回路（２５４ａ）が備えられることを特徴とする請求項１又は請求項２記載のインターホンシステム。
【請求項４】
前記受話側アッテネータの出力側には、前記受話側ノイズレベル推定回路にて推定された前記ノイズレベルの大小に対応させて、前記受話デジタル音声信号の信号レベルを増幅又は減衰するための受話側信号レベル制御回路（２５４ｂ）が備えられることを特徴とする請求項１又は請求項２記載のインターホンシステム。
【発明の詳細な説明】
【技術分野】
【０００１】
本発明は、有線の伝送路又は無線の伝送路を経由して接続される玄関子機及び居室親機間で音声信号を送受信して通話を成立させるインターホンシステムに係り、特に、通話品質を高めたインターホンシステムに関する。
【背景技術】
【０００２】
従来から、雑音の混入した音声信号について、ケプストラム分析法によって音声部分を正確に判別し、また、雑音の混入した音声信号に付いて雑音を予測し、その雑音を除去することによって、品質のよい音声信号を得、その中から音声を切り出すことで、その音声切り出しが的確なものとなり音声認識を行うことができる音声信号処理装置が開示されている（例えば、特許文献１を参照。）。
【０００３】
また、特許文献１に記載の声信号処理装置と同様、音声信号について音声認識を行い無音信号又は有音信号であるかを判別することができる特願２００８−１９０６３号のインターホンシステムが出願されている。
【先行技術文献】
【特許文献】
【０００４】
【特許文献１】特許第３１０６５４３号公報
【発明の概要】
【発明が解決しようとする課題】
【０００５】
背景技術のうち特願２００８−１９０６３号のインターホンシステムによれば、デジタル音声信号を複数の周波数帯域に分割し、分割された周波数帯域毎に所定の閾値を設定し、この閾値との比較をもとに無音信号又は有音信号であるかの判別を行うことができるものの、例えば、住戸外の周囲環境下の騒音レベルが住戸内の周囲環境下の騒音レベルと比較して大きい場合、住戸内に在室中の居住者による送話音声を受話音声として住戸外側で出力させる場合には、居住者による送話音声が騒音（暗騒音）レベルよりも大きい必要があり、居住者にとっては受話状態になり易く通話路の形成に偏りが生じることで、送話状態の通話路の確保が困難であった。
【０００６】
また、居住者にとって受話状態の通話路が形成されているとき、住戸外の来訪者による受話音声は必要以上に大きな音量となり易い一方、居住者の受話音声は、住戸外の周囲環境下の騒音に埋もれ易く来訪者にとっては聞き取り難く、受話者にとって良好な通話品質の確保が困難であった。
【０００７】
本発明は、これらの難点を解消するためになされたもので、玄関子機との間で音声信号を送受信して通話を行うにあたり親機に形成される通話路の切り換えを、住戸内外の周囲環境下の騒音レベルの差に依存せず偏りなく実行するとともに、多様な環境下においても受話者にとって聞き取り易い良好な通話品質を確保することができるインターホンシステムを提供することを目的している。
【課題を解決するための手段】
【０００８】
前述の目的を達成するため、本発明の第１の態様であるインターホンシステムは、子機マイク及び子機スピーカを有する玄関子機と、有線の伝送路又は無線の伝送路を経由して玄関子機に接続され、当該玄関子機の子機マイク及び子機スピーカとの間で通話を成立させるための音声信号を入出力する親機マイク及び親機スピーカを有する居室親機とを設けている。居室親機には、親機マイクに入力された送話アナログ音声信号を送話デジタル音声信号にアナログ／デジタル変換するとともに、玄関子機の子機マイクに入力され伝送路を経由して伝送されてくる受話デジタル音声信号を受話アナログ音声信号にデジタル／アナログ変換して親機スピーカから出力させるための親機音声コーデックと、親機音声コーデックから伝送路への送話ラインを伝送される送話デジタル音声信号及び伝送路から親機音声コーデックへの受話ラインを伝送される受話デジタル音声信号をそれぞれ送受信切換制御するための音声処理部とを備えている。音声処理部には、送話デジタル音声信号の信号電圧を減衰させるための送話側アッテネータと、送話デジタル音声信号のノイズレベルを推定するための送話側ノイズレベル推定回路と、送話側ノイズレベル推定回路にて推定されたノイズレベルに送話デジタル音声信号が無音信号又は有音信号であるかを判別するために設定されるオフセット値を加算して得られる送話音声判別閾値を算出する送話側閾値制御回路と、送話側閾値制御回路にて算出された送話音声判別閾値との比較に基づき送話デジタル音声信号が無音信号又は有音信号であるかを判別するための送話側信号判別回路と、受話デジタル音声信号の信号電圧を減衰させるための受話側アッテネータと、受話デジタル音声信号のノイズレベルを推定するための受話側ノイズレベル推定回路と、受話側ノイズレベル推定回路にて推定されたノイズレベルに受話デジタル音声信号が無音信号又は有音信号であるかを判別するために設定されるオフセット値を加算して得られる受話音声判別閾値を算出する受話側閾値制御回路と、受話側閾値制御回路にて算出された受話音声判別閾値との比較に基づき受話デジタル音声信号が無音信号又は有音信号であるかを判別するための受話側信号判別回路と、送話側信号判別回路及び受話側信号判別回路にて有音信号と判別された信号レベルを比較するための比較器を有し、送話側アッテネータ及び受話側アッテネータにそれぞれ損失を挿入して減衰レベルを制御するアッテネータ制御回路とを備えている。アッテネータ制御回路の比較器は、送話側で有音信号と判別された送話デジタル音声信号の信号電圧及び送話音声判別閾値の差分と、受話側で有音信号と判別された受話デジタル音声信号の信号電圧及び受話音声判別閾値の差分とを比較する機能を有するものである。
【０００９】
また、本発明の第２の態様であるインターホンシステムは、子機マイク及び子機スピーカを有する玄関子機と、有線の伝送路又は無線の伝送路を経由して玄関子機に接続され、当該玄関子機の子機マイク及び子機スピーカとの間で通話を成立させるための音声信号を入出力する親機マイク及び親機スピーカを有する居室親機とを設けている。居室親機には、親機マイクに入力された送話アナログ音声信号を送話デジタル音声信号にアナログ／デジタル変換するとともに、玄関子機の子機マイクに入力され伝送路を経由して伝送されてくる受話デジタル音声信号を受話アナログ音声信号にデジタル／アナログ変換して親機スピーカから出力させるための親機音声コーデックと、親機音声コーデックから伝送路への送話ラインを伝送される送話デジタル音声信号及び伝送路から親機音声コーデックへの受話ラインを伝送される受話デジタル音声信号をそれぞれ送受信切換制御するための音声処理部とを備えている。音声処理部には、送話デジタル音声信号の信号電圧を減衰させるための送話側アッテネータと、送話デジタル音声信号のノイズレベルを推定するための送話側ノイズレベル推定回路と、送話側ノイズレベル推定回路にて推定されたノイズレベルに送話デジタル音声信号が無音信号又は有音信号であるかを判別するために設定されるオフセット値を加算して得られる送話音声判別閾値を算出する送話側閾値制御回路と、送話側閾値制御回路にて算出された送話音声判別閾値との比較に基づき送話デジタル音声信号が無音信号又は有音信号であるかを判別するための送話側信号判別回路と、受話デジタル音声信号の信号電圧を減衰させるための受話側アッテネータと、受話デジタル音声信号のノイズレベルを推定するための受話側ノイズレベル推定回路と、受話側ノイズレベル推定回路にて推定されたノイズレベルに受話デジタル音声信号が無音信号又は有音信号であるかを判別するために設定されるオフセット値を加算して得られる受話音声判別閾値を算出する受話側閾値制御回路と、受話側閾値制御回路にて算出された受話音声判別閾値との比較に基づき受話デジタル音声信号が無音信号又は有音信号であるかを判別するための受話側信号判別回路と、送話側信号判別回路及び受話側信号判別回路にて有音信号と判別された信号レベルを比較するための比較器を有し、送話側アッテネータ及び受話側アッテネータにそれぞれ損失を挿入して減衰レベルを制御するアッテネータ制御回路とを備えている。アッテネータ制御回路は、送話側ノイズレベル推定回路及び受話側ノイズレベル推定回路にてそれぞれ推定された両ノイズレベルの大小に対応した比の逆数を、比較器に入力される送話側、受話側の両信号レベルに乗じてレベル調整するものである。
【００１０】
また、本発明の第３の態様であるインターホンシステムは、本発明の第１の態様又は第２の態様において、送話側アッテネータの出力側には、送話側ノイズレベル推定回路にて推定されたノイズレベルの大小に対応させて、送話デジタル音声信号の信号レベルを増幅又は減衰するための送話側信号レベル制御回路が備えられるものである。
【００１１】
また、本発明の第４の態様であるインターホンシステムは、本発明の第１の態様又は第２の態様において、受話側アッテネータの出力側には、受話側ノイズレベル推定回路にて推定されたノイズレベルの大小に対応させて、受話デジタル音声信号の信号レベルを増幅又は減衰するための受話側信号レベル制御回路が備えられるものである。
【発明の効果】
【００１２】
本発明のインターホンシステムによれば、玄関子機の子機マイクに入力され、この玄関子機に有線の伝送路又は無線の伝送路を経由して接続される居室親機の親機スピーカから受話音声として出力させる受話側デジタル音声信号と、居室親機の親機マイクに入力され、この居室親機に有線の伝送路又は無線の伝送路を経由して接続される玄関子機の子機スピーカから受話音声として出力させる送話側デジタル音声信号との送受信切換制御を、居室親機の音声処理部にて行うにあたり、音声処理部のアッテネータ制御回路は、玄関子機が設置される住戸外の騒音（ノイズ）レベル及び居室親機が設置される住戸内の騒音（ノイズ）レベルに差がある場合であっても、そのレベル差に依存することなく、又はそのレベルを同等に調整器で調整した後、有音信号であると判別された音声信号の信号レベルの大きさの相違に直接対応させて比較器にて比較を行い、居室親機における送話状態又は受話状態の通話路の切り換えを偏りなく正確に実行することができる。
【００１３】
また、本発明のインターホンシステムによれば、玄関子機が設置される住戸外の騒音（ノイズ）レベル及び居室親機が設置される住戸内の騒音（ノイズ）レベルの大きさに対応させてスピーカからの出力信号の信号レベルを増幅又は減衰することができ、多様な環境下においても受話者にとって聞き取り易い良好な通話品質を確保することができる。
【図面の簡単な説明】
【００１４】
【図１】図１は、本発明の実施例によるインターホンシステムにおいて、その全体構成を示すブロック図である。
【図２】図２は、本発明の実施例によるインターホンシステムにおいて、居室親機の音声処理部の具体的な構成を示すブロック図である。
【図３】図３（Ａ）、（Ｂ）、（Ｃ）、（Ｄ）はそれぞれ、本発明の実施例によるインターホンシステムにおいて、居室親機の音声処理部にて行なわれる送話デジタル音声信号の信号処理の一例を示す信号波形図である。
【図４】図４（Ａ）、（Ｂ）、（Ｃ）、（Ｄ）はそれぞれ、本発明の実施例によるインターホンシステムにおいて、居室親機の音声処理部にて行なわれる受話デジタル音声信号の信号処理の一例を示す信号波形図である。
【発明を実施するための最良の形態】
【００１５】
以下、本発明のインターホンシステムを適用した最良の実施の形態例について、図面を参照して説明する。
【００１６】
図１は、本発明の実施例によるインターホンシステムの全体構成を示すブロック図である。このインターホンシステムには、住戸外に設置され来訪者が住戸内に在室中の居住者を呼び出して通話を成立させるための玄関子機１と、住戸内に設置され、有線の伝送路Ｌ1a又は無線の伝送路Ｌ1bを経由して接続される玄関子機１からの呼び出しに応答した居住者が来訪者との間で通話を成立させるための居室親機２とが設けられている。
【００１７】
また、玄関子機１には、子機操作部１００、カメラ１０１、子機映像処理部１０２、子機マイク１０３、子機スピーカ１０４、子機音声コーデック１０５及び子機Ｉ／Ｆ（インターフェース）１０６が備えられている。
【００１８】
この玄関子機１において、子機操作部１００は、来訪者が居住者を呼び出すために操作するものであり、例えば、呼出ボタンにて構成されている。
【００１９】
カメラ１０１は、呼出操作を行った来訪者の映像や住戸外の周囲近傍の映像（監視映像）を撮像するためのものであり、例えば、ＣＣＤ、ＣＭＯＳ等の各種の映像撮像媒体にて構成されている。また、子機映像処理部１０２は、カメラ１０１にて撮像された映像である映像信号について、例えば、ＦＭ変調、増幅等の所定の信号処理を行うためのものである。
【００２０】
子機マイク１０３及び子機スピーカ１０４は、来訪者が居住者との間で通話を成立させるためのアナログ音声（送話音声、受話音声）を入出力するものである。また、子機音声コーデック１０５は、子機マイク１０３に入力された送話音声であるアナログ音声信号をデジタル音声信号にアナログ／デジタル変換（Ａ／Ｄ変換）するとともに、居室親機２の後述する親機マイク２０２に入力され有線の伝送路Ｌ1a又は無線の伝送路Ｌ1bを経由して伝送されてくる受話音声であるデジタル音声信号をアナログ音声信号にデジタル／アナログ変換（Ｄ／Ａ変換）して子機スピーカ１０４から出力させるためのものである。
【００２１】
子機Ｉ／Ｆ１０６は、子機操作部１００から有線の伝送路Ｌ1a又は無線の伝送路Ｌ1bへの信号伝送ラインと、子機映像処理部１０２から有線の伝送路Ｌ1a又は無線の伝送路Ｌ1bへの信号伝送ラインと、子機音声コーデック１０５及び有線の伝送路Ｌ1a間の信号伝送ライン、或いは子機音声コーデック１０５及び無線の伝送路Ｌ1b間の信号伝送ラインとをそれぞれ形成するためのものである。
【００２２】
さらに、居室親機２には、モニタ２００、親機映像処理部２０１、親機マイク２０２、親機スピーカ２０３、親機音声コーデック２０４、音声処理部２０５、親機操作部２０６、ＣＰＵ２０７及び親機Ｉ／Ｆ２０８が備えられている。
【００２３】
この居室親機２において、モニタ２００は、ＣＰＵ２０７により（出画状態に）制御され、玄関子機１のカメラ１０１にて撮像された映像を出画するばかりでなく、来訪者による呼び出しがある旨の呼出表示を行うことができ、例えば、ＬＣＤ、ＰＤＰ、有機ＥＬディスプレイ等の各種の出画表示媒体にて構成されている。また、親機映像処理部２０１は、ＣＰＵ２０７により制御され、有線の伝送路Ｌ1a又は無線の伝送路Ｌ1bを経由して玄関子機１から伝送されてくる映像信号について、例えば、ＦＭ復調、増幅等の所定の信号処理を行い、玄関子機１のカメラ１０１にて撮像された映像をモニタ２００に出画させるためのものである。
【００２４】
親機マイク２０２及び親機スピーカ２０３は、居住者が来訪者との間で通話を成立させるためのアナログ音声（送話音声、受話音声）を入出力するものであり、この親機スピーカ２０３は、前述の通話機能のみならず来訪者による呼び出しがある旨の呼出報知を行うことができる。また、親機音声コーデック２０４は、ＣＰＵ２０７により制御され、親機マイク２０２に入力された送話音声であるアナログ音声信号をデジタル音声信号にアナログ／デジタル変換するとともに、玄関子機１の子機マイク１０３に入力され有線の伝送路Ｌ1a又は無線の伝送路Ｌ1bを経由して伝送されてくる受話音声であるデジタル音声信号をアナログ音声信号にデジタル／アナログ変換して親機スピーカ２０３から出力させるためのものである。
【００２５】
音声処理部２０５は、ＣＰＵ２０７により制御され、親機音声コーデック２０４から有線の伝送路Ｌ1a又は無線の伝送路Ｌ1bへの送話ラインＬ2a上を伝送される送話デジタル音声信号と、有線の伝送路Ｌ1a又は無線の伝送路Ｌ1bから親機音声コーデック２０４への受話ラインＬ2b上を伝送される受話デジタル音声信号との送受信の動作について、切り換え制御するためのものである。
【００２６】
親機操作部２０６は、ＣＰＵ２０７により操作検出され、来訪者による玄関子機１からの呼び出しがあることを確認した居住者が応答し、親機マイク２０２及び親機スピーカ２０３の使用による通話を成立させるための応答操作、又は成立中の通話を終了するための終話操作等を行うものであり、例えば、通話ボタンにて構成されている。この親機操作部２０６としては、居室親機２の筐体面（図示せず。）に設けられる押圧ボタンやモニタ２００の前面に設けられるタッチパネル（図示せず。）等が好適とされる。
【００２７】
ＣＰＵ２０７は、居室親機２の構成各部を制御するためのものである。また、親機Ｉ／Ｆ２０８は、有線の伝送路Ｌ1a又は無線の伝送路Ｌ1bから親機映像処理部２０１への信号伝送ラインと、有線の伝送路Ｌ1a及び（送話ラインＬ2a又は受話ラインＬ2bを経由して）親機処理部２０５間の信号伝送ライン、或いは無線の伝送路Ｌ1b及び（送話ラインＬ2a又は受話ラインＬ2bを経由して）音声処理部２０５間の信号伝送ラインと、有線の伝送路Ｌ1a及びＣＰＵ２０７間の信号伝送ライン、或いは無線の伝送路Ｌ1b及びＣＰＵ２０７間の信号伝送ラインとをそれぞれ形成するためのものである。
【００２８】
次に、居室親機２の音声処理部２０５の具体的な構成について、図２のブロック図を参照して説明する。この音声処理部２０５には、送話側アッテネータ２５０ａ、送話側ノイズレベル推定回路２５１ａ、送話側閾値制御回路２５２ａ、送話側信号判別回路２５３ａ及び送話側信号レベル制御回路２５４ａと、受話側アッテネータ２５０ｂ、受話側ノイズレベル推定回路２５１ｂ、受話側閾値制御回路２５２ｂ、受話側信号判別回路２５３ｂ及び受話側信号レベル制御回路２５４ｂと、アッテネータ制御回路２５５とが備えられている。
【００２９】
この音声処理部２０５において、送話側アッテネータ２５０ａは、親機音声コーデック２０４から親機Ｉ／Ｆ２０８への送話ラインＬ2a上に設けられ、（居住者の）送話音声であるデジタル音声信号（送話デジタル音声信号）の信号電圧を減衰させるにあたり、この信号電圧がアッテネータ制御回路２５５により制御されるものである。また、受話側アッテネータ２５０ｂは、親機Ｉ／Ｆ２０８から親機音声コーデック２０４への受話ラインＬ2b上に設けられ、（来訪者の）受話音声であるデジタル音声信号（受話デジタル音声信号）の信号電圧を減衰させるにあたり、この信号電圧がアッテネータ制御回路２５５により制御されるものである。
【００３０】
送話側ノイズレベル推定回路２５１ａは、送話デジタル音声信号のノイズレベルを推定するためのものである。また、受話側ノイズレベル推定回路２５１ｂは、受話デジタル音声信号のノイズレベルを推定するためのものである。
【００３１】
送話側閾値制御回路２５２ａは、送話側ノイズレベル推定回路２５１ａにて推定されたノイズレベルに送話デジタル音声信号が無音信号又は有音信号であるかを判別するために設定されるオフセット値を加算して得られる送話音声判別閾値を算出するものである。また、受話側閾値制御回路２５２ｂは、受話側ノイズレベル推定回路２５１ｂにて推定されたノイズレベルに受話デジタル音声信号が無音信号又は有音信号であるかを判別するために設定されるオフセット値を加算して得られる受話音声判別閾値を算出するものである。
【００３２】
送話側信号判別回路２５３ａは、送話側閾値制御回路２５２ａにて算出された送話音声判別閾値との比較に基づき、送話デジタル音声信号が無音信号又は有音信号であるかを判別するためのものである。また、受話側信号判別回路２５３ｂは、受話側閾値制御回路２５２ｂにて算出された受話音声判別閾値との比較に基づき、受話デジタル音声信号が無音信号又は有音信号であるかを判別するためのものである。
【００３３】
送話側信号レベル制御回路２５４ａは、送話側ノイズレベル推定回路２５１ａにて推定されたノイズレベルの大きさに対応させて、送話側アッテネータ２５０ａの出力である送話デジタル音声信号の信号レベルを増幅又は減衰するためのものである。また、受話側信号レベル制御回路２５４ｂは、受話側ノイズレベル推定回路２５１ｂにて推定されたノイズレベルの大きさに対応させて、受話側アッテネータ２５０ｂの出力である受話デジタル音声信号の信号レベルを増幅又は減衰するためのものである。
【００３４】
アッテネータ制御回路２５５は、送話側信号判別回路２５３ａ及び受話側信号判別回路２５３ｂにて有音信号と判別された信号レベルを比較するための比較器２５５ａを有し、送話側アッテネータ２５０ａ及び受話側アッテネータ２５０ｂにそれぞれ損失を挿入して減衰レベルを制御するものであって、この比較器２５５ａは、送話側で有音信号と判別された送話デジタル音声信号の信号レベル及び送話音声判別閾値の差分と、受話側で有音信号と判別された受話デジタル音声信号の信号レベル及び受話音声判別閾値の差分とを比較する機能を有している。
【００３５】
また、アッテネータ制御回路２５５は、前述の比較器２５５ａのみならず、送話側ノイズレベル推定回路２５１ａ及び受話側ノイズレベル推定回路２５１ｂにてそれぞれ推定された両ノイズレベルの大小に、比較器２５５ａに入力される送話側、受話側の両信号レベルをそれぞれ逆に対応させてレベル調整する調整器２５５ｂが備えられており、この調整器２５５ｂは、推定された両ノイズレベルの大小に対応した比の逆数を、比較器２５５ａに入力される送話側、受話側の両信号レベルに乗じてレベル調整する機能を有している。  このように構成された本発明の実施例によるインターホンシステムにおいて、以下、具体的な動作について説明する。
【００３６】
図１に示す居室親機２が設置された住戸内に在室中の居住者を呼び出すために、住戸外に居る来訪者が玄関子機１の子機操作部１００を使用して所定の呼出操作を行うと、この子機操作部１００にて生成された呼出信号Ｓ1が、子機Ｉ／Ｆ１０６、有線の伝送路Ｌ1a又は無線の伝送路Ｌ1b、居室親機２の親機Ｉ／Ｆ２０８を経由してＣＰＵ２０７に伝送される。
【００３７】
居室親機２のＣＰＵ２０７は、玄関子機１からの呼出信号Ｓ1を受信すると、来訪者による呼び出しがある旨の呼出音や音声メッセージ等を親機スピーカ２０３から出力させて呼出報知を行うとともに、モニタ２００及び親機映像処理部２０１と玄関子機１のカメラ１０１及び子機映像処理部１０２とがそれぞれ能動となるように制御する。
【００３８】
玄関子機１のカメラ１０１は、呼出操作を行った来訪者の映像（住戸外の周囲近傍の映像を含む。）の撮像を開始して映像信号Ｓ2を生成する。この映像信号Ｓ2は、子機映像処理部１０２にて例えば、ＦＭ変調、増幅等の所定の信号処理が行われた後、子機Ｉ／Ｆ１０６、有線の伝送路Ｌ1a又は無線の伝送路Ｌ1b、居室親機２の親機Ｉ／Ｆ２０８を経由して親機映像処理部２０１に伝送される。また、親機映像処理部２０１は、受信した映像信号Ｓ2について例えば、ＦＭ復調、増幅等の所定の信号処理を行うことにより、玄関子機１のカメラ１０１にて撮像された来訪者の映像（住戸外の周囲近傍の映像を含む。）がモニタ２００に出画されることになる。なお、モニタ２００には、前述の映像の出画のみならず、来訪者による呼び出しがある旨の呼出メッセージや絵データ等を、ＣＰＵ２０７の制御により表示させることもできる。
【００３９】
この後、来訪者による玄関子機１からの呼び出しがあることを当該来訪者の判別と併せて確認できた居住者が、居室親機２の親機操作部２０６を使用して所定の応答操作を行うと、この操作を検出したＣＰＵ２０７は、親機音声コーデック２０４及び音声処理部２０５と玄関子機１の子機音声コーデック１０５とがそれぞれ能動となるように制御する。
【００４０】
具体的な音声信号の送受信動作として、図１に示す居室親機２の親機マイク２０２へ入力された居住者による送話音声のアナログ音声信号であり親機音声コーデック２０４を経由してアナログ／デジタル変換された送話デジタル音声信号Ｓ20は、図２に示す音声処理部２０５の送話側アッテネータ２５０ａ、送話側ノイズレベル判別回路２５１ａ及び送話側信号判別回路２５３ａにそれぞれ伝送される。ここで、送話側ノイズレベル推定回路２５１ａは、受信した送話デジタル音声信号Ｓ20の所定の周波数帯域、例えば、３００〜７０００Ｈｚの帯域について、数１００ミリ秒〜数秒の長い定数での平均値を算出してノイズレベルを推定し、その推定結果である例えば、図３（Ａ）に示す信号電圧の送話側ノイズレベルＶn2を、送話側閾値制御回路２５２ａ、送話側信号判別回路２５３ａ及び送話側信号レベル制御回路２５４ａにそれぞれ送出する。なお、送話側ノイズレベルＶn2は、親機マイク２０２の周囲環境下、すなわち、居室親機２が設置される住戸内の騒音レベルの大きさに対応して可変するものである。
【００４１】
また、居室親機２の音声処理部２０５において、送話側閾値制御回路２５２ａは、送話側ノイズレベル推定回路２５１ａにて推定された送話側ノイズレベルＶn2に送話デジタル音声信号Ｓ20が無音信号又は有音信号であるかを判別するために設定される所定のオフセット値を加算して得られる図３（Ｂ）に示す信号電圧の送話音声判別閾値Ｖt2を算出し、送話側信号判別回路２５３ａ、アッテネータ制御回路２５５にそれぞれ送出する。
【００４２】
さらに、居室親機２の音声処理部２０５において、送話側信号判別回路２５３ａは、親機音声コーデック２０４からの送話デジタル音声信号Ｓ20の前述の所定の周波数帯域における信号電圧の平均値を算出し、その算出された信号レベルＶ20と、送話側閾値制御回路２５２ａにて算出された送話音声判別閾値Ｖt2とを比較し、その比較結果が図３（Ｃ）に示すように「Ｖ20＜Ｖt2」の関係を有している場合、送話デジタル音声信号Ｓ20が無音信号であると判別する一方、図３（Ｄ）に示すように「Ｖ20≧Ｖt2」の関係を有している場合、送話デジタル音声信号Ｓ20が有音信号であると判別する。また、送話側信号判別回路２５３ａは、有音であると判別された送話デジタル音声信号Ｓ20のピーク信号電圧レベルを検出し、その送話側検出レベルＶ20aをアッテネータ制御回路２５５に送出する。
【００４３】
一方、図１に示す玄関子機１の子機マイク１０３へ入力された来訪者による送話音声のアナログ音声信号であり子機音声コーデック１０５を経由してアナログ／デジタル変換された送話デジタル音声信号Ｓ10は、子機Ｉ／Ｆ１０６、有線の伝送路Ｌ1a又は無線の伝送路Ｌ1b、居室親機２の親機Ｉ／Ｆ２０８を経由して図２に示す音声処理部２０５の受話側アッテネータ２５０ｂ、受話側ノイズレベル判別回路２５１ｂ及び受話側信号判別回路２５３ｂにそれぞれ伝送される。ここで、受話側ノイズレベル推定回路２５１ｂは、受信した受話デジタル音声信号Ｓ10の所定の周波数帯域、例えば、３００〜７０００Ｈｚの帯域について、数１００ミリ秒〜数秒の長い定数での平均値を算出してノイズレベルを推定し、その推定結果である例えば、図４（Ａ）に示す信号音圧の受話側ノイズレベルＶn1を、受話側閾値制御回路２５２ｂ、受話側信号判別回路２５３ｂ及び受話側信号レベル制御回路２５４ｂにそれぞれ送出する。なお、受話側ノイズレベルＶn1は、子機マイク１０３の周囲環境下、すなわち、玄関子機１が設置される住戸外の騒音レベルの大きさに対応して可変するものである。
【００４４】
また、居室親機２の音声処理部２０５において、受話側閾値制御回路２５２ｂは、受話側ノイズレベル推定回路２５１ｂにて推定された受話側イズレベルＶn1に受話デジタル音声信号Ｓ10が無音信号又は有音信号であるかを判別するために設定される所定のオフセット値を加算して得られる図４（Ｂ）に示す受話音声判別閾値Ｖt1を算出し、受話側信号判別回路２５３ｂ、アッテネータ制御回路２５５にそれぞれ送出する。
【００４５】
さらに、居室親機２の音声処理部２０５において、受話側信号判別回路２５３ｂは、受信した受話デジタル音声信号Ｓ10の前述の所定の周波数帯域における信号電圧の平均値を算出し、その算出された信号レベルＶ10と、受話側閾値制御回路２５２ｂにて算出された受話音声判別閾値Ｖt1とを比較し、その比較結果が図４（Ｃ）に示すように「Ｖ10＜Ｖt1」の関係を有している場合、受話デジタル音声信号Ｓ10が無音信号であると判別する一方、図４（Ｄ）に示すように「Ｖ10≧Ｖt1」の関係を有している場合、受話デジタル音声信号Ｓ10が有音信号であると判別する。また、受話側信号判別回路２５３ｂは、有音であると判別された受話デジタル音声信号Ｓ10のピーク信号電圧レベルを検出し、その送話側検出レベルＶ10aをアッテネータ制御回路２５５に送出する。
【００４６】
この後、居室親機２の音声処理部２０５において、アッテネータ制御回路２５５は、その第１の制御例として、図３（Ｄ）、図４（Ｄ）にそれぞれ示すように、送話側信号判別回路２５３ａにて検出された（送話デジタル音声信号Ｓ20の）送話側検出レベルＶ20a及び送話側閾値制御回路２５２ａにて算出された送話音声判別閾値Ｖt2の差分Δ2と、受話側信号判別回路２５３ｂにて検出された（受話デジタル音声信号Ｓ10の）受話側検出レベルＶ10a及び受話側閾値制御回路２５２ｂにて算出された受話音声判別閾値Ｖt1の差分Δ1とを、比較器２５５ａにて比較する。
【００４７】
ここで、アッテネータ２５５の比較器２５５ａの比較結果として、「Δ2＞Δ1」の関係を有している場合、アッテネータ制御回路２５５は、送話側アッテネータ２５０ａの減衰レベルを低く抑えるばかりでなく、親機スピーカ２０３から親機マイク２０２への音声帰還量に依存する値でありハウリングが発生しない程度の損失を受話側アッテネータ２５０ｂに挿入することで、居室親機２は送話状態となる。一方、「Δ2＜Δ1」の関係を有している場合、アッテネータ制御回路２５５は、受話側アッテネータ２５０ｂの減衰レベルを低く抑えるばかりでなく、玄関子機１の子機スピーカ１０４から子機マイク１０３への音声帰還量に依存する値でありハウリングが発生しない程度の損失を送話側アッテネータ２５０ａに挿入することで、居室親機２は受話状態となる。
【００４８】
前述までの説明から明らかなように、居室親機２の音声処理部２０５を構成するアッテネータ制御回路２５５の第１の制御例によれば、玄関子機１が設置される住戸外の騒音レベル及び居室親機２が設置される住戸内の騒音レベルに差がある場合、例えば、住戸内と比較して住戸外の騒音レベルが大きく、送話側、受話側の各ノイズレベルに「Ｖn1＞Ｖn2」の関係を有している通話成立時であっても、そのレベル差に依存することなく、有音信号であると判別された音声信号の信号レベルの大きさの相違に直接対応させて比較器２５５ａにて比較を行い、居室親機２における送話状態又は受話状態の通話路の切り換えを偏りなく正確に実行することができる。
【００４９】
次に、居室親機２の音声処理部２０５において、アッテネータ制御回路２５５は、前述の第１の制御例と異なる別途第２の制御例として、最初に、送話側ノイズレベル検出回路２５１ａにて推定された送話側ノイズレベルＶn2と受話側ノイズレベル検出回路２５１ｂにて推定された受話側ノイズレベルＶn1の大小を判別する。
【００５０】
ここで、玄関子機１が設置される住戸外の騒音レベル及び居室親機２が設置される住戸内の騒音レベルに差がある場合、例えば、住戸内と比較して住戸外の騒音レベルが大きく「Ｖn1＞Ｖn2」の関係を有しており、また、前述の送話側、受話側の各ノイズレベルの比が「Ｖn1：Ｖn2＝４：１」の関係を有しているとき、通常、玄関子機１の子機マイク１０３、居室親機２の親機マイク２０３に同等レベルの送話音声が入力されると、音声処理部２５０の受話側閾値制御回路２５２ｂにて算出される受話音声判別閾値Ｖt1はより大きく設定され、居室親機２は送話状態となり易い。そのため、来訪者においては、住戸外の騒音レベルが小さい場合に比べて大きな音量で送話する傾向が見受けられ、アッテネータ制御回路２５５に入力される送話側信号判別回路２５３ａにて検出された（送話デジタル音声信号Ｓ20の）送話側検出レベルＶ20aは、受話側信号判別回路２５３ｂにて検出された（受話デジタル音声信号Ｓ10の）受話側検出レベルＶ10aと比較して大きくなり、一旦、居室親機２が受話状態に遷移すると、住戸外の騒音レベルに見合った大きな音量で居住者が送話しても送話状態になり難い。
【００５１】
そこで、アッテネータ２５５の調整器２５５ｂは、調整動作の一例として、前述の送話側検出レベルＶ20aに送話側の比の大きさの逆数である「４」を乗じ、送話側調整検出レベルＶ20b（＝４・Ｖ20a）を算出することにより、住戸内外の騒音（暗騒音）レベルが同等であると仮定した状態において、「Ｖ20b」、「Ｖ10a」の比較を比較器２５５ａにて行う。
【００５２】
なお、前述の例によれば、アッテネータ２５５の調整器２５５ｂによる調整動作として、送話側検出レベルＶ20aに送話側の比の大きさの逆数である「４」を乗じたが、これに限定されず、受話検出レベルＶ10aに受話側の比の大きさの逆数である「１／４」を乗じ、受話側調整検出レベルＶ10b（＝１／４・Ｖ10a）を算出することにより、住戸内外の騒音（暗騒音）レベルが同等であると仮定した状態において、「Ｖ10b」、「Ｖ20a」の比較を比較器２５５ａにて行うこともできる。
【００５３】
ここで、居室親機２の音声処理部２０５を構成する比較器２５５ａの比較結果として、「Ｖ20b＞Ｖ10a」、「Ｖ20a＞Ｖ10b」の関係を有している場合、アッテネータ制御回路２５５は、送話側アッテネータ２５０ａの減衰レベルを低く抑えるばかりでなく、親機スピーカ２０３から親機マイク２０２への音声帰還量に依存する値でありハウリングが発生しない程度の損失を受話側アッテネータ２５０ｂに挿入することで、居室親機２は送話状態となる。一方、「Ｖ20b＜Ｖ10a」、「Ｖ20a＜Ｖ10b」の関係を有している場合、アッテネータ制御回路２５５は、受話側アッテネータ２５０ｂの減衰レベルを低く抑えるばかりでなく、玄関子機１の子機スピーカ１０４から子機マイク１０３への音声帰還量に依存する値でありハウリングが発生しない程度の損失を送話側アッテネータ２５０ａに挿入することで、居室親機２は送話状態となる。
【００５４】
前述までの説明から明らかなように、居室親機２の音声処理部２０５を構成するアッテネータ制御回路２５５の第２の制御例によれば、玄関子機１が設置される住戸外の騒音レベル及び居室親機２が設置される住戸内の騒音レベルに差がある場合、例えば、住戸内と比較して住戸外の騒音レベルが大きく、送話側、受話側の各ノイズレベルに「Ｖn1＞Ｖn2」の関係を有している通話成立時においても、そのレベルを同等に調整器２５５ｂで調整した後、有音信号であると判別された音声信号の信号レベルの大きさの相違に直接対応させて比較器２５５ａにて比較を行い、居室親機２における送話状態又は受話状態の通話路の切り換えを偏りなく正確に実行することができる。
【００５５】
次に、前述のような玄関子機１が設置される住戸外の騒音レベル及び居室親機２が設置される住戸内の騒音レベルに差がある場合、例えば、住戸内と比較して住戸外の騒音レベルが大きく、送話側、受話側の各ノイズレベルに「Ｖn1＞Ｖn2」の関係を有している場合において、音声処理部２０５の送話側信号レベル制御回路２５４ａは、送話側アッテネータ２５０ａからの出力信号である送話デジタル音声信号Ｓ20の信号レベルを増幅した後、送話ラインＬ2a、親機Ｉ／Ｆ２０８、有線の伝送路Ｌ1a又は無線の伝送路Ｌ1b、玄関子機１の子機Ｉ／Ｆ１０６、子機音声コーデック１０５を経由して子機スピーカ１０４に送出することにより、子機スピーカ１０４から出力される居住者の受話音声が、住戸外の騒音に打ち消されることなく、来訪者にとって聞き取り易い良好な信号レベルとなる。一方、受話側信号レベル制御回路２５４ｂは、受話側アッテネータ２５０からの出力信号である受話デジタル音声信号Ｓ10の信号レベルを減衰後、受話ラインＬ2b、親機音声コーデック２０４を経由して親機スピーカ２０３に送出することにより、親機スピーカ２０３から出力される来訪者の受話音声が、必要以上に大きな音量ではなく居住者にとって聞き取り易い良好な信号レベルとなる。
【００５６】
また、例えば、住戸外と比較して住戸内の騒音レベルが大きく、送話側、受話側の各ノイズレベルに「Ｖn1＜Ｖn2」の関係を有している場合において、音声処理部２０５の送話側信号レベル制御回路２５４ａは、送話側アッテネータ２５０ａからの出力信号である送話デジタル音声信号Ｓ20の信号レベルを減衰した後、送話ラインＬ2a、親機Ｉ／Ｆ２０８、有線の伝送路Ｌ1a又は無線の伝送路Ｌ1b、玄関子機１の子機Ｉ／Ｆ１０６、子機音声コーデック１０５を経由して子機スピーカ１０４に送出することにより、子機スピーカ１０４から出力される居住者の受話音声が、必要以上に大きな音量ではなく来訪者にとって聞き取り易い良好な信号レベルとなる。一方、受話側信号レベル制御回路２５４ｂは、受話側アッテネータ２５０からの出力信号である受話デジタル音声信号Ｓ10の信号レベルを増幅した後、受話ラインＬ2b、親機音声コーデック２０４を経由して親機スピーカ２０３に送出することにより、親機スピーカ２０３から出力される来訪者の受話音声が、住戸内の騒音に打ち消されることなく、居住者にとって聞き取り易い良好な信号レベルとなる。
【００５７】
本発明のインターホンシステムにおいては、特定の実施の形態をもって説明してきたが、この形態に限定されるものでなく、本発明の効果を奏する限り、これまで知られた如何なる構成のインターホンシステム、例えば、映像の撮像／処理機能（１０１、１０２）が不備とされる当該玄関子機及び映像の出画／処理機能（２００、２０１）が不備とされる当該居室親機を有するインターホンシステムであっても採用できるということはいうまでもないことである。
【符号の説明】
【００５８】
１……玄関子機
１０３……子機マイク
１０４……子機スピーカ
２……居室親機
２０２……親機マイク
２０３……親機スピーカ
２０４……親機音声コーデック
２０５……音声処理部
２５０ａ……送話側アッテネータ
２５０ｂ……受話側アッテネータ
２５１ａ……送話側ノイズレベル推定回路
２５１ｂ……受話側ノイズレベル推定回路
２５２ａ……送話側閾値制御回路
２５２ｂ……受話側閾値制御回路
２５３ａ……送話側信号判別回路
２５３ｂ……受話側信号判別回路
２５４ａ……送話側信号レベル制御回路
２５４ｂ……受話側信号レベル制御回路
２５５……アッテネータ制御回路
２５５ａ……比較器
２５５ｂ……調整器
Ｌ1a……有線の伝送路
Ｌ1b……無線の伝送路
Ｌ2a……送話ライン
Ｌ2b……受話ライン
【図１】
2011055058.tif 000003
【図２】
2011055058.tif 000004
【図３】
2011055058.tif 000005
【図４】
2011055058.tif 000006